(57)【要約】【課題】入浴中に身体への負担が大きくなることが予想される場合は、入浴者の出浴欲求を喚起することができる入浴管理システムを提供する。【解決手段】浴室Ｒ及び台所に設置される浴室用操作リモコン２０ａ及び台所用操作リモコン２０ｂと、浴槽Ｂに浸かっている入浴者の心電信号を検出するために浴槽Ｂ内に設置される心拍検出電極３１、３２、３３と、これらの心拍検出電極３１、３２、３３がそれぞれ接続され、心拍検出電極３１、３２、３３によって検出された心電信号に基づいて、１分間当りの心拍数を算出する心拍数演算ユニット４０と、浴室Ｒの壁面に設置された、浴室Ｒ内を照らす可変色照明装置５０とを備えており、浴室用操作リモコン２０ａが、心拍数演算ユニット４０によって算出された心拍数の上昇率に応じて、可変色照明装置５０による照明の色相を暖色方向に変化させるようになっている。【選択図】        図１
2005102767.tif 000002
【特許請求の範囲】
【請求項１】
入浴者の生体情報を測定する生体情報測定装置と、
浴室内を照らす可変色照明装置及び／または浴槽内を照らす可変色照明装置と、
前記生体情報測定装置によって測定された入浴者の生体情報から、入浴者がこのまま入浴を継続すると、その身体への負担が大きくなると予想される場合は、前記可変色照明装置による照明の色相を暖色方向に変化させる色相調整装置と
を備えていることを特徴とする入浴管理システム。
【請求項２】
入浴者の心電情報を測定する心電情報測定装置と、
浴室内を照らす可変色照明装置及び／または浴槽内を照らす可変色照明装置と、
前記心電情報測定装置によって測定された入浴者の心拍数が上昇するに従って、前記可変色照明装置による照明の色相を暖色方向に変化させる色相調整装置と
を備えていることを特徴とする入浴管理システム。
【請求項３】
前記色相調整装置は、前記心電情報測定装置が心電情報の測定を開始した後、所定時間が経過しても、入浴者の心拍数の上昇率が所定の上昇率に到達しない場合は、前記可変色照明装置による照明の色相を暖色方向に変化させるようになっている請求項２に記載の入浴管理システム。
【請求項４】
前記色相調整装置には、浴槽内の湯温が入力されるようになっており、
前記色相調整装置は、入力された浴槽内の湯温を考慮して、前記可変色照明装置による照明の色相を暖色方向に変化させるようになっている請求項１、２または３に記載の入浴管理システム。
【請求項５】
前記色相調整装置には、予め、入浴者の年齢が入力されるようになっており、
前記色相調整装置は、入力された入浴者の年齢を考慮して、前記可変色照明装置による照明の色相を暖色方向に変化させるようになっている請求項１、２、３または４に記載の入浴管理システム。
【発明の詳細な説明】
【技術分野】
【０００１】
この発明は、入浴者が浴槽に浸かっている時間を管理することができる入浴管理システムに関する。
【背景技術】
【０００２】
例えば、浴槽に設置した電極によって、浴槽に浸かっている入浴者の心電信号を検出し、検出された入浴者の心電信号に基づいて、心拍数等の数値化された心拍データを作成し、これを表示部に表示する心電情報報知システムが従来から提案されており、こういった心電情報報知システムを採用すると、心臓機能障害等を有する入浴者は、表示部に表示される心拍数等の心拍データに基づいて、心臓の状態変化を的確に把握することができるので、身体への負担が大きくなる前に浴槽から出ることができる。
【０００３】
【特許文献１】特開平５−９５９２１号公報
【発明の開示】
【発明が解決しようとする課題】
【０００４】
ところで、高齢者や熱いお風呂に入り慣れている人は、一般的に温熱感覚が鈍くなっている場合が多く、健全な温熱感覚を備えている入浴者では、十分に暖まったので浴槽から出たいと思うような状態であっても、温熱感覚が鈍くなっている人には、出浴欲求が働かず、長湯してしまう傾向にある。従って、こういった温熱感覚が鈍くなっている人の場合は、上述したような心電情報報知システムによって報知される自己の心拍データに従って、出浴タイミングを計ることが望ましい。
【０００５】
しかしながら、上述したように、温熱感覚が鈍くなっている人が、心電情報報知システムによって報知される自己の心拍データに従って出浴タイミングを計る場合、十分に暖まったという満足感が得られないまま出浴しなければならないので、ついつい、心電情報報知システムによって報知される心拍データを無視して長湯をしてしまうことになり、なかなか、効果を上げることができないといった問題がある。
【０００６】
そこで、この発明の課題は、入浴中に身体への負担が大きくなることが予想される場合は、入浴者の出浴欲求を喚起することができる入浴管理システムを提供することにある。
【課題を解決するための手段】
【０００７】
上記の課題を解決するため、請求項１にかかる発明は、入浴者の生体情報を測定する生体情報測定装置と、浴室内を照らす可変色照明装置及び／または浴槽内を照らす可変色照明装置と、前記生体情報測定装置によって測定された入浴者の生体情報から、入浴者がこのまま入浴を継続すると、その身体への負担が大きくなると予想される場合は、前記可変色照明装置による照明の色相を暖色方向に変化させる色相調整装置とを備えていることを特徴とする入浴管理システムを提供するものである。
【０００８】
また、請求項２にかかる発明は、入浴者の心電情報を測定する心電情報測定装置と、浴室内を照らす可変色照明装置及び／または浴槽内を照らす可変色照明装置と、前記心電情報測定装置によって測定された入浴者の心拍数が上昇するに従って、前記可変色照明装置による照明の色相を暖色方向に変化させる色相調整装置とを備えていることを特徴とする入浴管理システムを提供するものである。
【０００９】
また、請求項３にかかる発明は、請求項２にかかる発明において、前記心電情報測定装置が心電情報の測定を開始した後、所定時間が経過しても、入浴者の心拍数の上昇率が所定の上昇率に到達しない場合は、前記色相調整装置が、前記可変色照明装置による照明の色相を暖色方向に変化させるようにしたのである。
【００１０】
また、請求項４にかかる発明は、請求項１、２または３にかかる発明において、前記色相調整装置に浴槽内の湯温を入力させるようにしておき、入力された浴槽内の湯温を考慮して、前記可変色照明装置による照明の色相を暖色方向に変化させるようにしたのである。
【００１１】
また、請求項５にかかる発明は、請求項１、２、３または４にかかる発明において、前記色相調整装置に、予め、入浴者の年齢を入力させるようにしておき、入力された入浴者の年齢を考慮して、前記可変色照明装置による照明の色相を暖色方向に変化させるようにしたのである。
【発明の効果】
【００１２】
以上のように、請求項１にかかる発明の入浴管理システムでは、生体情報測定装置によって測定された入浴者の生体情報から、入浴者がこのまま入浴を継続すると、その身体への負担が大きくなると予想される場合は、色相調整装置によって、可変色照明装置による照明の色相を暖色方向に変化させるようになっているので、入浴者は、身体に接触している浴槽内のお湯から直接的に暖かさを感じるだけでなく、浴室内や浴槽内を照らしている照明の色彩による心理的効果によっても暖かさを感じることになり、自らの身体への負担が大きくなる前に、自らが十分に暖まったという満足感を得ることによって、自主的に出浴することになる。従って、高齢者や熱いお風呂に入り慣れている人のように、温熱感覚が鈍くなっている入浴者であっても、長湯することがなく、入浴中に倒れるといった不測の事態の発生を防止することができる。
【００１３】
また、請求項２にかかる発明の入浴管理システムのように、心電情報測定装置によって測定された入浴者の心拍数が増加するに従って、可変色照明装置による照明の色相を暖色方向に変化させるようにしておくと、心拍数の増加として捉えることができる身体への負担が大きくなる前に、入浴者自身が十分に暖まったという満足感を得ることによって、自主的に出浴することになるので、温熱感覚が鈍くなっている入浴者だけでなく、循環器障害等を有する入浴者にも有効である。
【００１４】
また、入浴に伴う身体の負担が心拍数の上昇として現れないような場合もあるので、請求項３にかかる発明の入浴管理システムのように、心電情報測定装置が心電情報の測定を開始した後、所定時間が経過しても、入浴者の心拍数の上昇率が所定の上昇率に到達しない場合は、可変色照明装置による照明の色相を暖色方向に変化させるようにしておくと、入浴者が必要以上に長湯することを防止することができる。
【００１５】
特に、請求項４にかかる発明の入浴管理システムのように、浴槽内の湯温を考慮して、可変色照明装置による照明の色相を暖色方向に変化させるようにしたり、請求項５にかかる発明の入浴管理システムのように、入浴者の年齢を考慮して、可変色照明装置による照明の色相を暖色方向に変化させるようにしておくと、湯温が高い場合や入浴者の年齢が高い場合に、可変色照明装置による照明の色相を、早めに暖色方向に変化させることができるので、不足の事態の発生を未然に防止することができる。
【発明を実施するための最良の形態】
【００１６】
以下、実施の形態について図面を参照して説明する。図１に示すように、この入浴管理システム１は、浴室Ｒ内に設置された浴槽Ｂに対する自動注湯機能や追焚機能の他、シャワーやカラン等への給湯機能を備えた風呂追焚機能付給湯器（以下、風呂給湯器という）１０と、この風呂給湯器１０を操作するための操作手段として、浴室Ｒ及び台所に設置される浴室用操作リモコン２０ａ及び台所用操作リモコン２０ｂと、浴槽Ｂに浸かっている入浴者の心電信号を検出するために浴槽Ｂ内に設置される心拍検出電極３１、３２、３３と、これらの心拍検出電極３１、３２、３３がそれぞれ接続され、心拍検出電極３１、３２、３３によって検出された心電信号に基づいて、１分間当りの心拍数を算出する心拍数演算ユニット４０と、浴室Ｒの壁面に設置された、浴室Ｒ内を照らす可変色照明装置５０とを備えており、浴室用操作リモコン２０ａが、心拍数演算ユニット４０によって算出された心拍数に基づいて、可変色照明装置５０による照明の色相を変化させる色相調整装置として機能するようになっている。なお、心拍数演算ユニット４０と浴室用操作リモコン２０ａ及び台所用操作リモコン２０ｂとが、風呂給湯器１０の端子台を介して、直流電圧に信号を重畳して伝送する２芯線によって接続されている。
【００１７】
前記風呂給湯器１０、前記浴室用操作リモコン２０ａ及び台所用操作リモコン２０ｂには、通信手段であるシリアルインターフェースを介して相互に通信可能なコントローラ１１、２１ａ、２１ｂがそれぞれ搭載されており、これらのコントローラ１１、２１ａ、２１ｂが相互に連携をとりながら、風呂給湯器１０の運転動作を統括的に制御している。
【００１８】
また、浴室用操作リモコン２０ａ及び台所用操作リモコン２０ｂは、風呂設定温度、給湯設定温度等の風呂給湯器関連情報や入浴者の心拍数等の心電情報を表示する表示部２２ａ、２２ｂをそれぞれ備えており、これらの表示部２２ａ、２２ｂには、風呂給湯器関連情報または心電情報のいずれを表示させるのかを切り替える（選択する）ための報知モード切替（選択）用のメニュースイッチ（図示せず）が表示されるようになっている。
【００１９】
一対の心拍検出電極３１、３２は、浴槽Ｂに浸かった入浴者の心臓を挟むように、浴槽Ｂにおける一端側の左右両側壁に、残りの心拍検出電極（中性点）３３は、浴槽Ｂに浸かった入浴者の足元側（他端側）における浴槽Ｂの側壁にそれぞれ設置されており、各心拍検出電極３１、３２、３３は、浴槽Ｂに貯留されたお湯を介して心電信号が検出されるように、所定の高さ位置に設置されている。
【００２０】
前記心拍数演算ユニット４０は、通信手段であるシリアルインターフェースを介して、浴室用操作リモコン２０ａや台所用操作リモコン２０ｂに通信可能に接続されており、この心拍数演算ユニット４０によって算出された心拍数が、所定の時間間隔（例えば、２秒間隔）で浴室用操作リモコン２０ａや台所用操作リモコン２０ｂのコントローラ２１ａ、２１ｂに送信されるようになっている。
【００２１】
この心拍数演算ユニット４０は、図２に示すように、心拍検出電極３１、３２、３３がそれぞれ接続され、心拍検出電極３１、３２、３３によって検出された心電信号から周波数の高いインパルスノイズを除去する第１フィルタ回路４１と、この第１フィルタ回路４１によってノイズが除去された心電信号を増幅する差動増幅回路４２と、この差動増幅回路４２によって増幅された心電信号から電源周波数以上のノイズを除去する第２フィルタ回路４３と、この第２フィルタ回路４３によってノイズが除去された心電信号を再度増幅する増幅回路４４と、この増幅回路４４によって増幅された心電信号が入力される演算回路としてのマイクロコンピュータ４５とを備えており、このマイクロコンピュータ４５が、入力された心電信号に基づいて１分間当りの心拍数を算出し、この心拍数をシリアルインターフェース（Ｉ／Ｆ）４６を介して浴室用操作リモコン２０ａや台所用操作リモコン２０ｂのコントローラ２１ａ、２１ｂに送信するようになっている。なお、マイクロコンピュータ４５では、各時点での心拍数を含む、それ以前の１００拍の心拍数の平均値が、各時点における心拍数として算出されるようになっており、これによって、体動やノイズ等に起因する突発的な心拍数の上昇が緩和されることになる。
【００２２】
前記可変色照明装置５０は、赤色、緑色及び青色の光をそれぞれ発する３色の発光ダイオード（ＬＥＤ）を備えており、この３色のＬＥＤを適宜ＯＮ、ＯＦＦさせることによって、白色光（３色のＬＥＤが全てＯＮ）及び黄色（赤色と緑色のＬＥＤがＯＮで、青色のＬＥＤがＯＦＦ）、赤色（赤色のＬＥＤがＯＮで、緑色と青色のＬＥＤがＯＦＦ）といった暖色光を照射することができるようになっている。
【００２３】
以上のように構成された入浴管理システム１では、浴室用操作リモコン２０ａまたは台所用操作リモコン２０ｂの運転スイッチをＯＮすると、浴室用操作リモコン２０ａ及び台所用操作リモコン２０ｂの表示部２２ａ、２２ｂに、風呂設定温度や給湯設定温度等の給湯器関連情報と共に入浴管理モード選択スイッチが自動的に表示されるので、この入浴管理モード選択スイッチを入浴者がＯＮすると、ユーザ（入浴者）の選択画面が表示される。ここで、いずれかのユーザを選択すると、その選択されたユーザに応じて、可変色照明装置５０による照明の色相を調整することができる状態となる。なお、ユーザ情報として、入浴者の年齢を予め登録しておく必要があるが、ユーザ情報が登録されていない場合は、ユーザを選択した時点で、ユーザ情報の登録画面が表示されるので、ここで入浴者の年齢を入力して登録することになる。
【００２４】
この状態で、入浴者が浴槽Ｂに浸かると、入浴者の心電信号が自動的に検出され、心拍数演算ユニット４０によって算出された心拍数が、風呂給湯器１０を中継して、浴室用操作リモコン２０ａ及び台所用操作リモコン２０ｂに送信され、それぞれの表示部２２ａ、２２ｂに入浴者の心拍数が表示されると共に、浴槽Ｂ内の湯温が、風呂給湯器１０のコントローラ１１から浴室用操作リモコン２０ａに送信されるようになっている。
【００２５】
また、浴室用操作リモコン２０ａは、現時点までの入浴者の最低心拍数に対する現時点における心拍数の上昇率〔＝（現時点における心拍数−最低心拍数）／最低心拍数×１００〕が１０％に到達すると、可変色照明装置５０による照明の色相を白色から黄色に切り換えるようになっており、入浴者の心拍数の上昇率が２０％に到達すると、黄色から赤色に切り換えるようになっている。
【００２６】
ただし、入浴者の年齢が６０歳以上の場合や入浴者が浸かっている浴槽Ｂ内の湯温が４２℃以上の場合は、入浴者の心拍数の上昇率が１０％に到達すると、可変色照明装置５０による照明の色相を、黄色に変化させるのではなく、即座に赤色に変化させるようになっている。
【００２７】
また、心拍数の上昇が見られなくても、入浴者の身体に負担がかかることも考えられるので、入浴者が必要以上に長湯しないように、浴室用操作リモコン２０ａは、入浴者が浴槽Ｂに浸かり始めて、所定時間（例えば、１０分）が経過しても、入浴者の心拍数の上昇率が１０％に到達しない場合は、可変色照明装置５０による照明の色相を黄色に変化させるようになっている。なお、ここにいう所定時間は、浴槽Ｂ内のお湯の温度に応じて変更するようにしてもよい。
【００２８】
以上のように、この入浴管理システム１では、心拍検出電極３１、３２、３３及び心拍数演算ユニット４０といった心電情報測定装置によって測定された入浴者の心拍数の上昇率に応じて、可変色照明装置５０による照明の色相を暖色方向（白色→黄色→赤色）に変化させるようになっているので、入浴者は、身体に接触している浴槽Ｂ内のお湯から直接的に暖かさを感じるだけでなく、浴室Ｒ内を照らしている照明の色彩による心理的効果によっても暖かさを感じることになり、心拍数の増加として捉えることができる心臓への負担が大きくなる前に、入浴者自身が十分に暖まったという満足感を得ることによって、自主的に出浴することになる。従って、高齢者や熱いお風呂に入り慣れている人のように、温熱感覚が鈍くなっている入浴者であっても、長湯することがなく、入浴中に倒れるといった不足の事態の発生を防止することができる。
【００２９】
また、この入浴管理システム１では、浴槽Ｂ内の湯温が高い（４２℃以上）場合や入浴者の年齢が高い（６０歳以上）場合には、入浴者の心拍数の上昇率が１０％に到達すると、可変色照明装置５０による照明の色相を、黄色にすることなく、即座に赤色に変化させるようになっているので、入浴に伴う入浴者の負担が特に大きいような場合であっても、入浴中における不足の事態の発生を未然に防止することができる。
【００３０】
なお、上述した実施形態では、可変色照明装置５０による照明の色相を、黄色、赤色といった２段階で暖色方向に変化させるようにしているが、これに限定されるものではなく、暖色方向に多段階で変化させることも可能である。
【００３１】
また、上述した実施形態では、入浴者の心拍数の上昇率が１０％、２０％に到達すると、可変色照明装置５０による照明の色相を黄色、赤色にそれぞれ変化させるようにしているが、これに限定されるものではなく、可変色照明装置５０による照明の色相を変化させるための心拍数の上昇率については、適宜設定すればよい。
【００３２】
また、上述した実施形態では、湯温が４２℃以上の場合や入浴者の年齢が６０歳以上の場合は、入浴者の心拍数の上昇率が１０％に到達すると、可変色照明装置５０による照明の色相を、黄色ではなく、即座に赤色に変化させるようにしているが、これに限定されるものではなく、可変色照明装置５０による照明の色相を即座に赤色に変化させる湯温や年齢については、適宜設定すればよい。
【００３３】
また、上述した実施形態では、湯温が高い場合や入浴者の年齢が高い場合は、可変色照明装置５０による照明の色相を、黄色ではなく、即座に赤色に変化させるようにしているが、これに限定されるものではなく、例えば、その時点における実際の心拍数の上昇率に数％を上乗せしたり、所定の比率（例えば、１．５倍）で嵩上げしたりすることによって、湯温が高い場合や入浴者の年齢が高い場合に、可変色照明装置による照明の色相を、早めに黄色や赤色に変化させるようにしてもよい。
【００３４】
また、上述した実施形態では、心拍数の上昇率に応じて、可変色照明装置５０による照明の色相を暖色方向に変化させるようになっているが、これに限定されるものではなく、周波数領域解析法による心拍のゆらぎ解析結果に基づいて、可変色照明装置５０による照明の色相を変化させるようにしたり、脈波、血圧、体温といった入浴者の生体情報に基づいて、可変色照明装置５０による照明の色相を変化させることも可能である。
【００３５】
また、上述した実施形態では、浴室Ｒ内を可変色照明装置５０によって照らしているが、これに限定されるものではなく、浴槽Ｂ内を可変色照明装置によって照らしたり、浴室Ｒ内及び浴槽Ｂ内の双方を可変色照明装置によってそれぞれ照らすようにしておくことも可能である。特に、浴槽Ｂ内を可変色照明装置によって照らすようにしておくと、浴槽に浸かっている入浴者の心理的効果が大きくなるので、入浴者の出浴欲求を効率よく喚起することができる。
【００３６】
また、上述した実施形態では、３色のＬＥＤを備えた可変色照明装置５０を採用しているが、これに限定されるものではなく、照明の色相を暖色方向に変化させることができるのであれば、種々の可変色照明装置を採用することができる。
【００３７】
また、上述した実施形態では、可変色照明装置５０による照明の色相を変化させる色相調整装置として、風呂給湯器１０の操作手段である浴室用操作リモコン２０ａを利用しているが、これに限定されるものではなく、専用の色相調整装置を別途設けることも可能である。
【図面の簡単な説明】
【００３８】
【図１】この発明にかかる入浴管理システムの一実施形態を示す概略構成図である。
【図２】同上の入浴管理システムにおける心拍数演算ユニットを示すブロック図である。
【符号の説明】
【００３９】
１  入浴管理システム
１０  風呂給湯器
１１  コントローラ
２０ａ  浴室用操作リモコン（色相調整装置）
２０ｂ  台所用操作リモコン
２１ａ、２１ｂ  コントローラ
２２ａ、２２ｂ  表示部
３１、３２、３３  心拍検出電極（心電情報測定装置、生体情報測定装置）
４０  心拍数演算ユニット（心電情報測定装置、生体情報測定装置）
４６  シリアルインターフェース
５０  可変色照明装置
Ｂ  浴槽
Ｒ  浴室
【図１】
2005102767.tif 000003
【図２】
2005102767.tif 000004